(57)【要約】【課題】コントラストや彩度が優先して調整され且つ覆い焼き処理により明暗調整もなされた良好な画像を得る。【解決手段】覆い焼きパラメータを第１の画像処理パラメータとすると、覆い焼きパラメータ設定手段（制御部３）によって、第１の画像処理パラメータ以外の所定の第２の画像処理パラメータ（コントラスト補正量や彩度補正量）に基づいて覆い焼きパラメータを決定し、覆い焼き処理手段（覆い焼き処理部６１）によって、覆い焼きパラメータ設定手段により決定された覆い焼きパラメータに基づいて覆い焼き処理を行う。【選択図】図１
2007174482.tif 000002
【特許請求の範囲】
【請求項１】
画像を取得する画像取得手段と、
前記画像に対する覆い焼き処理を行う覆い焼き処理手段と、
前記覆い焼き処理に関する覆い焼きパラメータを設定する覆い焼きパラメータ設定手段とを備え、
前記覆い焼きパラメータを第１の画像処理パラメータとすると、
前記覆い焼きパラメータ設定手段は、前記第１の画像処理パラメータ以外の所定の第２の画像処理パラメータに基づいて覆い焼きパラメータを決定し、
前記覆い焼き処理手段は、前記覆い焼きパラメータ設定手段により決定された覆い焼きパラメータに基づいて覆い焼き処理を行うことを特徴とする撮像装置。
【請求項２】
前記画像に対するコントラスト補正処理に関するコントラスト補正量を入力するコントラスト補正量入力手段をさらに備え、
前記第２の画像処理パラメータは、前記コントラスト補正量であり、
前記覆い焼きパラメータ設定手段は、前記コントラスト補正量入力手段により入力されたコントラスト補正量に基づいて覆い焼きパラメータを決定することを特徴とする請求項１記載の撮像装置。
【請求項３】
前記覆い焼き処理は、前記画像から抽出された照明成分を圧縮し、該圧縮された照明成分と前記画像から抽出された反射率成分とから新たな画像を生成する処理であり、
前記覆い焼きパラメータは、前記画像から照明成分を抽出するフィルタのサイズであり、該サイズは前記コントラスト補正量に応じて異なるサイズであることを特徴とする請求項２記載の撮像装置。
【請求項４】
前記覆い焼き処理は、前記画像から抽出された照明成分を圧縮し、該圧縮された照明成分と前記画像から抽出された反射率成分とから新たな画像を生成する処理であり、
前記覆い焼きパラメータは、前記照明成分の圧縮特性であり、該圧縮特性は前記コントラスト補正量に応じて異なる圧縮特性であることを特徴とする請求項２記載の撮像装置。
【請求項５】
前記画像に対する彩度補正処理に関する彩度補正量を入力する彩度補正量入力手段をさらに備え、
前記第２の画像処理パラメータは、前記彩度補正量であり、
前記覆い焼きパラメータ設定手段は、前記彩度補正量入力手段により入力された彩度補正量に基づいて覆い焼きパラメータを決定することを特徴とする請求項１記載の撮像装置。
【請求項６】
前記覆い焼き処理は、前記画像から抽出された照明成分を圧縮し、該圧縮された照明成分と前記画像から抽出された反射率成分とから新たな画像を生成する処理であり、
前記覆い焼きパラメータは、前記照明成分の圧縮における圧縮輝度範囲の所定の上限値であり、該上限値は前記彩度補正量に応じて異なる値であることを特徴とする請求項５記載の撮像装置。
【請求項７】
画像データに対して覆い焼き処理を行う覆い焼き処理段階と、
前記覆い焼き処理に関する覆い焼きパラメータを設定する覆い焼きパラメータ設定段階とを有し、
前記覆い焼きパラメータを第１の画像処理パラメータとしたとき、前記覆い焼きパラメータ設定段階では、前記第１の画像処理パラメータ以外の所定の第２の画像処理パラメータに基づいて覆い焼きパラメータを決定し、
前記覆い焼き処理段階では、前記覆い焼きパラメータ設定段階で決定された覆い焼きパラメータに基づいて覆い焼き処理を行うことを特徴とする画像処理方法。
【請求項８】
画像データに対する覆い焼き処理に関する覆い焼きパラメータを第１の画像処理パラメータとしたとき、該第１の画像処理パラメータ以外の所定の第２の画像処理パラメータに基づいて覆い焼きパラメータを決定する第１の手順と、該第１の手順で決定された覆い焼きパラメータに基づいて覆い焼き処理を行う第２の手順とをコンピュータに実行させることを特徴とする画像処理プログラム。
【発明の詳細な説明】
【技術分野】
【０００１】
本発明は、デジタルカメラ等の撮像装置、特に、ダイナミックレンジ圧縮機能を有する撮像装置に関するものである。また、本発明はデジタルカメラ等の撮像装置によって得られた画像データに対してダイナミックレンジ圧縮を行う画像処理方法及び画像処理プログラムに関するものである。
【背景技術】
【０００２】
近年、デジタルカメラ等の撮像装置においては、高画質化の要請に伴い、撮像センサが扱うことのできる被写体の輝度範囲（ダイナミックレンジ：ＤＲ）の拡大、すなわち撮像系の広ダイナミックレンジ化が進んでいる。しかしながら、現状ではモニタ等の表示系の広ダイナミックレンジ化は撮像系ほど進んでおらず、たとえ入力画像の広ダイナミックレンジ化が図られたとしても、表示系においてその効果を充分に発揮できないことになる。したがって、広ダイナミックレンジの入力画像が表示系のダイナミックレンジに収まるように入力画像のダイナミックレンジを圧縮させる必要がある。
【０００３】
上記“ダイナミックレンジの圧縮”には、主に、画像の照明成分を圧縮することで局所的に画像の明暗を調整する意味と、画像全体の明暗の関係をそのまま維持した状態で、文字通り、帯域（ダイナミックレンジ）を圧縮する意味（局所的に明暗調整を行うという意味とは無関係）との２つの意味があるが、これらを区別するべく、前者を「覆い焼き処理」、後者を単に「ＤＲ圧縮」と称するものとする。覆い焼き処理では、具体的には、画像から照明成分を抽出し（このとき反射率成分も抽出する）、この照明成分に対してＤＲ圧縮を行い、ＤＲ圧縮後の照明成分と反射率成分とから、局所的に画像の明暗が調整された新たな画像が生成される（例えば非特許文献１参考）。
【０００４】
ところで、良好（高画質）な画像を得るための画像処理としては、上記覆い焼き処理による画像の明暗調整だけでなく、例えばコントラスト補正や彩度補正がある。コントラスト補正は、一般的には例えば階調変換手段を備え、所謂ガンマ；γ（ガンマ特性、階調変換特性）を変化させることで、画像の低輝度部つまり主被写体領域画像のコントラストを調整する。この場合、例えば図８に示すように、コントラストを好適なものにしようとガンマ特性を符号７１０で示す曲線から符号７２０で示す曲線に変化させることで低輝度部７０１のコントラストを高めると、高輝度部７０２の階調がつぶれ、高輝度部７０２のコントラストが低下してしまう。一方、彩度補正は、画像における色の冴え（鮮やかさ）、鈍さといった色の彩やかさである彩度を調整する。一般的には、例えば彩度補正手段を備え、画像を輝度（輝度信号）と色差（色信号）とに分離して扱い、当該輝度、色差間で所定の変換処理を行うことで彩度調整を行う。
【非特許文献１】画像のダイナミックレンジ圧縮技術  画像ラボ（２００４．６）２４〜２８頁
【発明の開示】
【発明が解決しようとする課題】
【０００５】
このような覆い焼き処理、コントラスト補正処理（階調変換処理）及び彩度補正処理を行うに際して、従来では、覆い焼き処理（ＤＲ圧縮）が優先され、コントラスト補正処理及び彩度補正処理はこれに従う、すなわち、覆い焼き処理のパラメータ（以降、覆い焼きパラメータという）に応じてコントラスト補正量や彩度補正量が決定されるものであった（例えば彩度補正では、覆い焼きを行うと一般的に彩度が高くなるので、覆い焼きパラメータに応じて彩度を抑制するように調整する）。そのため、画像処理においてコントラスト補正や彩度補正を覆い焼き処理（階調変換処理）よりも優先させるような場合に対応することができなかった。
【０００６】
本発明は上記事情に鑑みてなされたもので、コントラスト補正処理（階調変換処理）や彩度補正処理を優先して行いつつ覆い焼き処理も行うことができる、すなわち所要のコントラストや彩度が得られるようにこれらが優先して調整され、且つ、覆い焼き処理によって明暗調整もなされた良好（高画質）な画像を得ることができる撮像装置、画像処理方法、及び画像処理プログラムを提供することを目的とする。
【課題を解決するための手段】
【０００７】
本発明に係る撮像装置は、画像を取得する画像取得手段と、前記画像に対する覆い焼き処理を行う覆い焼き処理手段と、前記覆い焼き処理に関する覆い焼きパラメータを設定する覆い焼きパラメータ設定手段とを備え、前記覆い焼きパラメータを第１の画像処理パラメータとすると、前記覆い焼きパラメータ設定手段は、前記第１の画像処理パラメータ以外の所定の第２の画像処理パラメータに基づいて覆い焼きパラメータを決定し、前記覆い焼き処理手段は、前記覆い焼きパラメータ設定手段により決定された覆い焼きパラメータに基づいて覆い焼き処理を行うことを特徴とする。
【０００８】
上記構成によれば、画像取得手段によって画像が取得され、覆い焼き処理手段によって画像に対する覆い焼き処理が行われ、覆い焼きパラメータ設定手段によって覆い焼き処理に関する覆い焼きパラメータが設定される。そして、覆い焼きパラメータが第１の画像処理パラメータとされ、覆い焼きパラメータ設定手段によって第１の画像処理パラメータ以外の所定の第２の画像処理パラメータに基づいて覆い焼きパラメータが決定され、覆い焼き処理手段によって、覆い焼きパラメータ設定手段により決定された覆い焼きパラメータに基づいて覆い焼き処理が行われる。
【０００９】
また、上記構成において、前記画像に対するコントラスト補正処理に関するコントラスト補正量を入力するコントラスト補正量入力手段をさらに備え、前記第２の画像処理パラメータは、前記コントラスト補正量であり、前記覆い焼きパラメータ設定手段は、前記コントラスト補正量入力手段により入力されたコントラスト補正量に基づいて覆い焼きパラメータを決定するようにしてもよい。
【００１０】
これによれば、コントラスト補正量入力手段によって画像に対するコントラスト補正処理に関するコントラスト補正量が入力され、第２の画像処理パラメータがコントラスト補正量とされ、覆い焼きパラメータ設定手段によって、コントラスト補正量入力手段により入力されたコントラスト補正量に基づいて覆い焼きパラメータが決定される。
【００１１】
また、上記構成において、前記覆い焼き処理は、前記画像から抽出された照明成分を圧縮し、該圧縮された照明成分と前記画像から抽出された反射率成分とから新たな画像を生成する処理であり、前記覆い焼きパラメータは、前記画像から照明成分を抽出するフィルタのサイズであり、該サイズは前記コントラスト補正量に応じて異なるサイズであるようにしてもよい。
【００１２】
これによれば、覆い焼き処理において、画像から抽出された照明成分が圧縮され、該圧縮された照明成分と画像から抽出された反射率成分とから新たな画像が生成される。また、覆い焼きパラメータが画像から照明成分を抽出するフィルタのサイズとされ、該サイズがコントラスト補正量に応じて異なるサイズとされる。
【００１３】
また、上記構成において、前記覆い焼き処理は、前記画像から抽出された照明成分を圧縮し、該圧縮された照明成分と前記画像から抽出された反射率成分とから新たな画像を生成する処理であり、前記覆い焼きパラメータは、前記照明成分の圧縮特性であり、該圧縮特性は前記コントラスト補正量に応じて異なる圧縮特性であるようにしてもよい。
【００１４】
これによれば、覆い焼き処理において、画像から抽出された照明成分が圧縮され、該圧縮された照明成分と画像から抽出された反射率成分とから新たな画像が生成される。また、覆い焼きパラメータが照明成分の圧縮特性とされ、該圧縮特性がコントラスト補正量に応じて異なる圧縮特性とされる。
【００１５】
また、上記構成において、前記画像に対する彩度補正処理に関する彩度補正量を入力する彩度補正量入力手段をさらに備え、前記第２の画像処理パラメータは、前記彩度補正量であり、前記覆い焼きパラメータ設定手段は、前記彩度補正量入力手段により入力された彩度補正量に基づいて覆い焼きパラメータを決定するようにしてもよい。
【００１６】
これによれば、彩度補正量入力手段によって、画像に対する彩度補正処理に関する彩度補正量が入力され、第２の画像処理パラメータが彩度補正量とされ、覆い焼きパラメータ設定手段によって、彩度補正量入力手段により入力された彩度補正量に基づいて覆い焼きパラメータが決定される。
【００１７】
また、上記構成において、前記覆い焼き処理は、前記画像から抽出された照明成分を圧縮し、該圧縮された照明成分と前記画像から抽出された反射率成分とから新たな画像を生成する処理であり、前記覆い焼きパラメータは、前記照明成分の圧縮における圧縮輝度範囲の所定の上限値であり、該上限値は前記彩度補正量に応じて異なる値であるようにしてもよい。
【００１８】
これによれば、覆い焼き処理において、画像から抽出された照明成分が圧縮され、該圧縮された照明成分と画像から抽出された反射率成分とから新たな画像が生成される。また、覆い焼きパラメータが照明成分の圧縮における圧縮輝度範囲の所定の上限値とされ、該上限値が彩度補正量に応じて異なる値とされる。
【００１９】
また、本発明に係る画像処理方法は、画像データに対して覆い焼き処理を行う覆い焼き処理段階と、前記覆い焼き処理に関する覆い焼きパラメータを設定する覆い焼きパラメータ設定段階とを有し、前記覆い焼きパラメータを第１の画像処理パラメータとしたとき、前記覆い焼きパラメータ設定段階では、前記第１の画像処理パラメータ以外の所定の第２の画像処理パラメータに基づいて覆い焼きパラメータを決定し、前記覆い焼き処理段階では、前記覆い焼きパラメータ設定段階で決定された覆い焼きパラメータに基づいて覆い焼き処理を行うことを特徴とする。
【００２０】
上記構成によれば、覆い焼き処理段階において、画像データに対して覆い焼き処理が行われ、覆い焼きパラメータ設定段階において、覆い焼き処理に関する覆い焼きパラメータが設定される。覆い焼きパラメータを第１の画像処理パラメータとしたとき、覆い焼きパラメータ設定段階において、第１の画像処理パラメータ以外の所定の第２の画像処理パラメータに基づいて覆い焼きパラメータが決定され、覆い焼き処理段階において、覆い焼きパラメータ設定段階で決定された覆い焼きパラメータに基づいて覆い焼き処理が行われる。
【００２１】
また、本発明に係る画像処理プログラムは、画像データに対する覆い焼き処理に関する覆い焼きパラメータを第１の画像処理パラメータとしたとき、該第１の画像処理パラメータ以外の所定の第２の画像処理パラメータに基づいて覆い焼きパラメータを決定する第１の手順と、該第１の手順で決定された覆い焼きパラメータに基づいて覆い焼き処理を行う第２の手順とをコンピュータに実行させることを特徴とする。
【００２２】
上記構成によれば、画像データに対する覆い焼き処理に関する覆い焼きパラメータを第１の画像処理パラメータとしたとき、該第１の画像処理パラメータ以外の所定の第２の画像処理パラメータに基づいて覆い焼きパラメータを決定する第１の手順と、該第１の手順で決定された覆い焼きパラメータに基づいて覆い焼き処理を行う第２の手順とがコンピュータによって実行される。
【発明の効果】
【００２３】
請求項１に係る撮像装置によれば、覆い焼きパラメータ設定手段によって第２の画像処理パラメータに基づいて覆い焼きパラメータが決定され、覆い焼き処理手段によって、覆い焼きパラメータ設定手段により決定された覆い焼きパラメータに基づいて覆い焼き処理が行われる構成であるので、第２の画像処理パラメータによる画像処理例えばコントラスト補正処理（階調変換処理）や彩度補正処理を優先して行いつつ覆い焼き処理も行うことができる、すなわち所要のコントラストや彩度等が得られるようにこれらが優先して調整され、且つ、覆い焼き処理によって明暗調整もなされた良好（高画質）な画像を得ることができる。
【００２４】
請求項２に係る撮像装置によれば、覆い焼きパラメータ設定手段によって、コントラスト補正量入力手段により入力されたコントラスト補正量に基づいて覆い焼きパラメータが決定される構成であるので、コントラスト補正量に基づくコントラスト補正処理（階調変換処理）を優先して行いつつ覆い焼き処理も行うことができる、すなわち所要のコントラストが得られるようにこれが優先して調整され、且つ、覆い焼き処理によって明暗調整もなされた良好な画像を得ることができる。
【００２５】
請求項３に係る撮像装置によれば、覆い焼きパラメータとしての照明成分を抽出するフィルタのサイズがコントラスト補正量に応じて異なるサイズとされることから、照明成分抽出用のフィルタのサイズをコントラスト補正量に応じて変更することができる。当該フィルタサイズが変更されることで反射率成分の抽出量が変化し、反射率成分の抽出量が変化することでコントラストが変化するため、低輝度／高輝度に関係なくコントラスト補正を行うことが可能となる（コントラスト強調を行っても従来のように高輝度のコントラストが低下しない）。また、覆い焼き処理手段による覆い焼き処理によってコントラスト補正が可能となり（覆い焼き処理手段によって覆い焼き処理とコントラスト補正とを同時に行うことができ）、従来のコントラスト補正手段を別途備える必要がないことから、処理の高速化、装置の低コスト化（簡略化）を図ることができる。
【００２６】
請求項４に係る撮像装置によれば、覆い焼きパラメータとしての照明成分の圧縮特性がコントラスト補正量に応じて異なる圧縮特性とされることから、照明成分の圧縮特性をコントラスト補正量に応じて変更することができ、すなわち、コントラスト補正量に応じて圧縮特性を変更して所要のコントラストが得られるように照明成分を圧縮することができるため、覆い焼き処理手段による覆い焼き処理によってコントラスト補正が可能となり（覆い焼き処理手段によって覆い焼き処理とコントラスト補正とを同時に行うことができ）、従来のコントラスト補正手段を別途備える必要がないことから、処理の高速化、装置の低コスト化（簡略化）を図ることができる。
【００２７】
請求項５に係る撮像装置によれば、覆い焼きパラメータ設定手段によって、彩度補正量入力手段により入力された彩度補正量に基づいて覆い焼きパラメータが決定される構成であるので、彩度補正量に基づく彩度補正処理を優先して行いつつ覆い焼き処理も行うことができる、すなわち所要の彩度が得られるようにこれが優先して調整され、且つ、覆い焼き処理によって明暗調整もなされた良好な画像を得ることができる。
【００２８】
請求項６に係る撮像装置によれば、覆い焼きパラメータとしての圧縮輝度範囲の所定の上限値が彩度補正量に応じて異なる値とされることから、圧縮輝度範囲の所定の上限値を彩度補正量に応じて変更することができる。当該上限値が変更されることで照明成分の圧縮率が変化し、照明成分の圧縮率が変化することで彩度が変化するため、覆い焼き処理手段による覆い焼き処理によって彩度補正が可能となり（覆い焼き処理手段によって覆い焼き処理と彩度補正とを同時に行うことができ）、従来の彩度補正手段を別途備える必要がないことから、処理の高速化、装置の低コスト化（簡略化）を図ることができる。
【００２９】
請求項７に係る画像処理方法によれば、覆い焼きパラメータ設定段階において、第２の画像処理パラメータに基づいて覆い焼きパラメータが決定され、覆い焼き処理段階において、覆い焼きパラメータ設定段階で決定された覆い焼きパラメータに基づいて覆い焼き処理が行われる構成であるので、第２の画像処理パラメータによる画像処理例えばコントラスト補正処理（階調変換処理）や彩度補正処理を優先して行いつつ覆い焼き処理も行うことができる、すなわち所要のコントラストや彩度等が得られるようにこれらが優先して調整され、且つ、覆い焼き処理によって明暗調整もなされた良好（高画質）な画像を得ることができる。
【００３０】
請求項８に係る画像処理プログラムによれば、第１の手順において、第２の画像処理パラメータに基づいて覆い焼きパラメータが決定され、第２の手順において、第１の手順で決定された覆い焼きパラメータに基づいて覆い焼き処理が行われる構成であるので、第２の画像処理パラメータによる画像処理例えばコントラスト補正処理（階調変換処理）や彩度補正処理を優先して行いつつ覆い焼き処理も行うことができる、すなわち所要のコントラストや彩度等が得られるようにこれらが優先して調整され、且つ、覆い焼き処理によって明暗調整もなされた良好（高画質）な画像を得ることができる。
【発明を実施するための最良の形態】
【００３１】
（実施形態１）
図１は、第１の実施形態に係る撮像装置の一例であるデジタルカメラ１の主に撮像処理に関する概略的なブロック構成図を示している。図１に示すように、デジタルカメラ１は、画像入力部２、制御部３、画像メモリ４、ユーザＩ／Ｆ部５及び画像処理部６を備えている。
【００３２】
画像入力部２は、デジタルカメラ１に対して画像を入力するものであり、レンズ部２１、撮像センサ２２、アンプ２３及びＡ／Ｄ変換部２４等を備えている。レンズ部２１は、被写体光像を取り込むレンズ窓として機能するとともに、この被写体光を撮像センサ２２へ導くための光学系（被写体光の光軸Ｌに沿って直列的に配置される例えばズームレンズやフォーカスレンズ、その他の固定レンズブロック）を構成するものである。レンズ部２１は、当該レンズの透過光量を調節するための絞り（図略）やシャッタ（図略）を備えており、制御部３によって絞りやシャッタの駆動制御がなされる構成とされている。
【００３３】
撮像センサ２２は、被写体光像を撮像するものであり、レンズ部２１で結像された被写体光像の光量に応じ、Ｒ、Ｇ、Ｂ各成分の画像信号に光電変換して後段のアンプ２３へ出力する。本実施形態では、撮像センサ２２として、センサ入射輝度が低い場合（暗時）に出力画素信号（光電変換により発生する出力電気信号）が線形的に変換されて出力される線形特性領域と、センサ入射輝度が高い場合（明時）に出力画素信号が対数的に変換されて出力される対数特性領域とからなる光電変換特性、換言すれば低輝度側が線形、高輝度側が対数である異なる複数の光電変換特性を有するＣＭＯＳセンサやＣＣＤセンサ等のイメージセンサ（以降、適宜、リニアログセンサと表現する）が用いられる。このリニアログセンサによる撮影によって、広いダイナミックレンジ（ＤＲ）を有する広ＤＲ画像の取得が可能となる。このように、撮像センサ２２によって広ＤＲ画像を得ることができれば、後述の図３、４で説明するように、照明成分の所定レベルＬｄに対する出力が適正輝度ＯｄとなるＡ点を通るような照明圧縮特性を容易に得ることができる。
【００３４】
なお、上記リニアログセンサから得られる線形特性領域及び対数特性領域を有した画像のことを、適宜、線形／対数画像と表現する。また、上記光電変換特性における線形特性領域と対数特性領域との切り替り点（変曲点）は、撮像センサ２２の各画素回路に対する所定の制御信号により任意に制御可能とされている。撮像センサ２２は、当該リニアログセンサに限定されず、傾きの異なる複数の線形領域を有するリニアセンサや、通常のＤＲが狭い例えば線形特性領域のみのリニアセンサ等、種々のイメージセンサが採用可能である。因みに、リニアログセンサでなくとも、例えばシャッタスピードや絞り値が異なる条件での撮影により得られた複数の画像を合成することによっても、或いはシャッタスピードを高速にして撮影して得られたアンダー気味の画像であっても広ＤＲ画像を得ることは可能である。
【００３５】
アンプ２３は、撮像センサ２２から出力された画像信号を増幅するものであり、例えばＡＧＣ（オートゲインコントロール）回路を備え、当該出力信号のゲイン（増幅率）調整を行う。Ａ／Ｄ変換部２４は、アンプ２３にて増幅されたアナログ値の画像信号（アナログ信号）をデジタル値の画像信号（デジタル信号）に変換するものであり、撮像センサ２２の各画素で受光して得られる画素信号をそれぞれ例えば１２ビットの画素データに変換する。
【００３６】
制御部３は、各種制御プログラム等を記憶するＲＯＭ、一時的にデータを格納するＲＡＭ及び制御プログラム（後述の画像処理プログラムを含む）等をＲＯＭから読み出して実行する中央演算処理装置（ＣＰＵ）等からなり、デジタルカメラ１全体の動作制御を司るものである。制御部３は、撮像センサ２２等の装置各部からの各種信号に基づき装置各部が必要とする制御パラメータ等を算出し、これに基づいて覆い焼き処理部６１等の装置各部の動作を制御する。
【００３７】
画像メモリ４は、ＲＯＭ（Read Only Memory）やＲＡＭ（Random Access Memory）等のメモリからなり、画像入力部２により入力された画像データ或いは画像処理部６において所定の画像処理が施された画像データ等を格納するものである。
【００３８】
ユーザＩ／Ｆ（インターフェース）部５は、ユーザからの各種の操作指示（コマンド）が入力される入力キーとして機能したり、或いは所定の情報を表示するものであり、モニタ部５１及び操作部５２を備えている。モニタ部５１は、画像入力部２により入力された画像や画像メモリ４に保存された画像等、或いは所定の操作情報や設定情報等をモニタ表示するものであり、例えばカラー液晶表示素子からなる液晶表示器（ＬＣＤ；Liquid Crystal Display）等からなる。操作部５２は、デジタルカメラ１に対するユーザによる操作指示入力を行うものであり、レリーズスイッチ、撮影モード設定スイッチ或いはメニュー選択スイッチ等の各種スイッチ群（ボタン群）からなる。例えばレリーズスイッチが押下（オン）されることで、撮像動作、すなわち撮像センサ２２により被写体光が撮像され、この撮像により得られた画像データに対して所要の画像処理が施された後、この画像データが画像メモリ４に記録されるといった一連の撮影動作が実行される。
【００３９】
ところで、ユーザＩ／Ｆ部５は、例えば図６（ａ）、（ｂ）に示すデジタルカメラ１の背面図のように、コントラスト補正量、彩度補正量及びシャープネス補正量といった画像処理に関する各パラメータ（画像処理パラメータという）を設定（入力）することが可能に構成されている。各画像処理パラメータは、例えば−２〜＋２の５段階の調整が可能とされている。実際の入力動作としては、例えば操作部５２によるボタン操作等によってモニタ画面上で選択フレーム５１１を所要の画像処理パラメータの位置まで移動させて（図６（ａ）参照）、補正しようとする画像処理パラメータを選択すなわちアクティブにした後（図６ではコントラストが選択されている）、ポインタ５１２をデフォルト位置（ここではゼロ）から、低輝度重視側である−２から高輝度重視側である＋２の範囲における所要のレベル位置まで移動させる（図６（ｂ）参照）ことで、各画像処理パラメータの補正量を設定する（図６（ｂ）ではコントラスト補正量が「＋２」のレベルに設定されている）。
【００４０】
画像処理部６は、画像入力部２により入力された撮影画像データ（Ａ／Ｄ変換部２４により得られたデジタル画像信号）に対する色補間処理や色補正処理、ホワイトバランス（ＷＢ）補正処理等の各種画像処理を行うものであり、特に本実施形態では、後述するように画像処理パラメータに応じた覆い焼き処理が行われる。なお、画像処理部６には、上記各機能部の他に、画像のシャープネスを補正するシャープネス補正部、画像信号の固定パターンノイズ（ＦＰＮ；Fixed Pattern Noise）を除去するＦＰＮ補正部、或いは画像の黒レベルを基準の値に補正する黒基準補正部等（いずれも図示略）が備えられていてもよい。
【００４１】
ここで、上記画像処理パラメータに応じた覆い焼き処理方法について説明する。当該処理に関し、画像処理部６は覆い焼き処理部６１を備えており、また、制御部３は画像処理パラメータ設定部３１、覆い焼きパラメータ演算部３２及び変換情報記憶部３３を備えている。
【００４２】
覆い焼き処理部６１は、画像入力部２から入力された画像すなわち撮像センサ２２により撮像されて得られた画像（線形／対数画像、広ＤＲ画像）；（基画像Ｉとする）に対する覆い焼き処理を行うものである。基画像Ｉは、所謂Ｒｅｔｉｎｅｘ理論によれば、該基画像Ｉにおける照明成分（主に低周波成分からなる）を照明成分Ｌ、反射率成分（主に高周波成分からなる）を反射率成分Ｒとすると、以下の(１)式で表される。覆い焼き処理部６１は、基画像Ｉに対してメディアンフィルタやイプシロン（ε）フィルタ等の所謂エッジ維持フィルタ（非線形フィルタ；照明抽出フィルタ）を適用することでこの照明成分Ｌを抽出する（照明成分Ｌが抽出されることで残りの成分が反射率成分Ｒとして抽出される）。
Ｉ＝Ｌ＊Ｒ  ・・・（１）
但し、記号「＊」は乗算を示す（以降同様）。
【００４３】
したがって、覆い焼き処理は、基画像Ｉから照明成分Ｌ及び反射率成分Ｒを抽出し、これら各成分に対して所要の処理を施した後、当該処理後の照明成分Ｌ及び処理後の反射率成分Ｒを乗算して新たな画像（画像Ｉ’とする）を生成する処理（照明成分Ｌと反射率成分Ｒとを扱う処理）であるとも言える。ただし、必ずしも照明成分Ｌと反射率成分Ｒとに対して処理を行わなくともよく、例えば一方の照明成分Ｌに対してのみ処理（後述のＤＲ圧縮）が施され、他方の反射率成分Ｒは抽出時そのままで、当該処理された照明成分Ｌ’と反射率成分Ｒとが乗算されて画像Ｉ’が生成されるような処理でもよい。
【００４４】
覆い焼き処理部６１は、ユーザＩ／Ｆ部５から指示入力された画像処理パラメータ、すなわち本実施形態１では画像処理パラメータとしてのコントラスト補正量（コントラスト補正量（係数）Ｃｎｔとする）に応じて、上記（１）式に示す照明成分Ｌ又は反射率成分Ｒに対する所定の処理に関する各パラメータ（覆い焼きパラメータという）を制御（設定）することで、基画像Ｉに対する覆い焼き処理を行う。実際の処理としては、以下で述べるように、コントラスト補正量に応じて反射率成分Ｒに関する覆い焼きパラメータを制御する場合（これを「コントラスト補正を反射率成分Ｒに反映する場合」と表現する）、或いはコントラスト補正量に応じて照明成分Ｌに関する覆い焼きパラメータを制御する場合（これを「コントラスト補正を照明成分Ｌに反映する場合」と表現する）がある。
【００４５】
＜コントラスト補正を反射率成分Ｒに反映する場合＞
この場合、ユーザＩ／Ｆ部５から指示入力されたコントラスト補正量Ｃｎｔに応じて、照明成分Ｌを抽出するための上記エッジ維持フィルタのフィルタサイズ（フィルタサイズＳｆとする）が変更され、このフィルタサイズＳｆが変更されることで反射率成分Ｒつまり基画像Ｉからの反射率成分Ｒの抽出量（或いは反射率成分Ｒの特性グラフの傾き；図示略）が変化し、さらに、反射率成分Ｒが変化することでコントラストが変化する。当該変化の方向としては、フィルタサイズＳｆはコントラスト補正量Ｃｎｔの単調増加関数（直線的に増加せずともよく要は減少しなければよい）で与えられ、コントラスト補正量Ｃｎｔを大きくすると、フィルタサイズＳｆが大きくなるように変更される。また、フィルタサイズＳｆが大きくなると反射率成分Ｒは大きくなり、反射率成分Ｒが大きくなるとコントラストも大きくなる。コントラスト補正量Ｃｎｔを小さくする場合はこの逆に、フィルタサイズＳｆ及び反射率成分Ｒが小さくなり、コントラストも小さくなる。なお、上記フィルタサイズとは、画像のフィルタ処理に際して何画素分の画素に対して平均処理を行うかといったことに関する当該複数画素で構成される画像サイズに相当するものであり、例えばフィルタサイズが１０画素、２０画素などと与えられる。
【００４６】
上記動作・処理に関する構成例として、制御部３における画像処理パラメータ設定部３１では、ユーザＩ／Ｆ部５から指示入力された画像処理パラメータ（ここではコントラスト補正量Ｃｎｔ）の情報を受け付けて設定する。また、覆い焼きパラメータ演算部３２では、画像処理パラメータ設定部３１に設定されたコントラスト補正量Ｃｎｔの情報に基づいて、上記照明成分Ｌを抽出するためのエッジ維持フィルタのフィルタサイズＳｆ（覆い焼きパラメータ）を算出する。当該コントラスト補正量Ｃｎｔに応じたフィルタサイズＳｆの算出は、例えば、コントラスト補正量ＣｎｔとフィルタサイズＳｆとの関係が記述されたテーブル（ＬＵＴ；ルックアップテーブル（これを第１ＬＵＴと表現する））を用いたデータ変換によって行う。覆い焼きパラメータ演算部３２は、この算出したフィルタサイズＳｆの情報を覆い焼き処理部６１に送信して該覆い焼き処理部６１に設定する。覆い焼き処理部６１は、当該設定されたフィルタサイズＳｆの情報を用いて覆い焼き処理を行う。なお、変換情報記憶部３３には、上記第１ＬＵＴ等のデータ変換情報が記憶されており、必要に応じて参照される。
【００４７】
一方、照明成分Ｌに対しては、覆い焼き処理部６１において、上記コントラスト補正量Ｃｎｔに関わらず、以下の（１）式に示す変換式を用いたＤＲ圧縮が行われる。このＤＲ圧縮によって、照明成分Ｌは照明成分Ｌ’に変換される。
Ｌ’＝ｅｘｐ（ｌｏｇ（Ｌ）＊ｃ）＊ｎ  ・・・（１）
但し、「ｃ」は圧縮率、「ｎ」は正規化項である。
【００４８】
上記（１）式によるＬ’は、図３のように符号２１０で示す照明成分の圧縮特性（照明圧縮特性２１０）で表される。同図に示すように、照明圧縮特性２１０は、例えば、照明成分Ｌの所定レベルＬｄ（例えば主被写体輝度Ｌｄ）に対する出力が適正輝度Ｏｄ（例えば撮像センサ２２による出力画像が０〜２５５階調を有する８ビット画像の場合で、１２８階調程度の出力値；階調値）となるような、すなわち主被写体画像例えば人物の顔が好適な明るさとなるような符号２１１で示す点Ａ（Ｌｄ、Ｏｄ）と、照明成分Ｌの上限値Ｌｍａｘに対する出力が出力最大値Ｏｍａｘ（同じく例えば８ビット画像の場合で２５５階調の出力値）となる符号２１２で示す点Ｂ（Ｌｍａｘ、Ｏｍａｘ）との２点を通過するものとして与えられる。したがって、上記（１）式の未知数である圧縮率ｃ及び正規化項ｎは、これら２点の座標値をそれぞれ代入して得られる連立方程式から算出される。
【００４９】
上記Ｌｍａｘは、いずれの明るさまで覆い焼き処理を行うか、つまり圧縮する照明成分Ｌとしてどこまでの範囲を入れるかを決めるための所定の上限値として設定されるものであり、通常は、基画像Ｉ（広ＤＲ画像）のＲ、Ｇ、Ｂの輝度最大値が用いられるが、これに限らず、照明成分Ｌの最大値又はこの最大値のＹ％（コントラストを上げるためにＬｍａｘを照明成分の最大値よりも小さい値に設定することもあり得る）、前記Ｒ、Ｇ、Ｂ輝度最大値のＸ％値、或いはユーザの指定する値等、任意な値が採用可能である。なお、このＬｍａｘの情報は、予め固定値として変換情報記憶部３３に記憶されていてもよいし、ユーザＩ／Ｆ部５からの指示入力等に基づいて画像処理パラメータ設定部３１や覆い焼きパラメータ演算部３２において設定（取得）又は算出されたものでもよい。制御部３は、このＬｍａｘ情報を覆い焼き処理部６１に送信して覆い焼き処理部６１に設定し、覆い焼き処理部６１ではこの設定されたＬｍａｘ情報を用いた上記照明圧縮特性２１０に基づくＤＲ圧縮を行う。
【００５０】
上述の各処理が施された後、さらに覆い焼き処理部６１において、コントラスト補正量Ｃｎｔに応じて抽出量が変化した反射率成分Ｒと、ＤＲ圧縮された照明成分Ｌ’とから、以下の（２）式を用いて画像Ｉ’が生成（出力）される。
Ｉ’＝Ｌ’＊Ｒ  ・・・（２）
なお、上記（２）式は、Ｉ’＝Ｌ’／Ｌ＊Ｉと考えてもよい。但し、記号「／」は除算を示す（以降同様）。
【００５１】
このように、先ずコントラスト補正量Ｃｎｔ（コントラスト補正パラメータ；画像処理パラメータ）に応じてフィルタサイズＳｆ（覆い焼きパラメータ）を決定することで、この決定したフィルタサイズＳｆに応じて反射率成分Ｒ（反射率成分の抽出量）が変化し、覆い焼き処理において、当該反射率成分Ｒの変化によりコントラストも変化する構成となるので、コントラスト補正パラメータの設定を覆い焼きパラメータの設定よりも優先させる、すなわちコントラスト補正処理を覆い焼き処理よりも優先させることができ、また、画像の低輝度／高輝度に関係なくコントラスト補正が可能となる（コントラスト強調を行っても従来のように高輝度のコントラストが低下しない）とともに、覆い焼き処理の主目的である明暗調整がなされた、特に上述したように照明圧縮特性が点Ａを通るような低輝度部（主被写体）の明るさが適正に調整された良好な画像を得ることが可能となる。なお、この構成により、従来一般的にコントラスト補正が行われる階調変換部（コントラスト補正部）を備えることなく、覆い焼き処理部６１における処理だけで済むため（覆い焼き処理においてコントラスト補正が可能となるため）、演算処理の高速化、及び装置の低コスト化を図ることができる。
【００５２】
＜コントラスト補正を照明成分Ｌに反映する場合＞
この場合、ユーザＩ／Ｆ部５から指示入力されたコントラスト補正量Ｃｎｔに応じて、照明成分Ｌに対する複数種類の照明圧縮特性を切り替えることで、コントラスト補正量Ｃｎｔに応じた照明成分Ｌに関する覆い焼きパラメータの制御を行う。この複数種類の照明圧縮特性とは、例えば図４に示すような、低輝度重視（Ｃｎｔ＜０）の場合の符号３１０で示す、低、中輝度部の傾き（コントラスト）が大きい照明圧縮特性３１０、或いは高輝度重視（Ｃｎｔ＞０）の場合の符号３２０で示す、高輝度部の傾き（コントラスト）が大きい照明圧縮特性３２０等で与えられる。ただし、いずれの照明圧縮特性も上記と同様、例えば主被写体輝度Ｌｄが適正な明るさ（適正輝度Ｏｄ）となるような符号３１１で示す点Ａを通過するものとすることが好ましい。ここでは、上記照明圧縮特性２１０と同様に符号３１２で示す点Ｂ（Ｌｍａｘ、Ｏｍａｘ）も通るように設定している。なお、照明圧縮特性は、このように低輝度重視か高輝度重視かの場合に分けた２種類に限定されず、例えば−２〜＋２の５段階に対応させるなど、さらに場合分けされた３種類以上としてもよい。
【００５３】
ここでの具体的な動作・処理として、例えば図２に示す制御部３の画像処理パラメータ設定部３１は、ユーザＩ／Ｆ部５から指示入力されたコントラスト補正量Ｃｎｔの情報を受け付けて設定し、覆い焼きパラメータ演算部３２は、当該設定された或るコントラスト補正量Ｃｎｔに対応する照明圧縮特性（後述の第２ＬＵＴ）を選択するとともに、この選択した照明圧縮特性の情報を覆い焼き処理部６１に送信して設定する。覆い焼き処理部６１では、基画像Ｉから照明成分Ｌを抽出するとともに、抽出した照明成分Ｌに対し、当該選択された照明圧縮特性を用いて以下の（３）式に示す変換式によるＤＲ圧縮を行う。
Ｌ’＝ＬＵＴ（Ｌ）  ・・・（３）
【００５４】
ただし、上記（３）式中の“ＬＵＴ”は、上記複数種類の照明圧縮特性のうちの１つの  照明圧縮特性が記述されたテーブル（ＬＵＴ；これを第２ＬＵＴと表現する）を示している。この第２ＬＵＴの情報は上述のように制御部３から受け取る。この場合、変換情報記憶部３３には、複数種類の照明圧縮特性に対応する複数の第２ＬＵＴが記憶されており、覆い焼きパラメータ演算部３２によって、所定のコントラスト補正量Ｃｎｔに対応する第２ＬＵＴが選択されて（読み出されて）覆い焼き処理部６１に送信される。なお、ここでは、覆い焼き処理部６１は、照明成分Ｌを抽出するに際して用いるフィルタサイズＳｆの情報を制御部３（覆い焼きパラメータ演算部３２）から受け取る。この場合のフィルタサイズＳｆは、コントラスト補正量Ｃｎｔとは関係のない、予め設定された所定値（任意の値でよい）として与えられる。
【００５５】
一方、反射率成分Ｒについては、コントラスト補正量Ｃｎｔに関わらず、上記予め設定された所定値としてのフィルタサイズＳｆに応じて基画像Ｉから抽出された反射率成分Ｒ（実際には、このフィルタサイズＳｆに応じて照明成分Ｌが抽出され、結果として残りの反射率成分Ｒ抽出量が決まる）が用いられる。
【００５６】
上述の各処理が施された後、覆い焼き処理部６１において、上記と同様、以下の（４）式により、照明成分Ｌ’と反射率成分Ｒとから画像Ｉ’が生成（出力）される。
Ｉ’＝Ｌ’＊Ｒ  ・・・（４）
但し、この（４）式におけるＬ’は、上記（３）式のＬ’を示している。この場合も（４）式はＩ’＝Ｌ’／Ｌ＊Ｉと考えてもよい。
【００５７】
このように、コントラスト補正量Ｃｎｔに応じて、覆い焼き処理における照明圧縮特性を変化させることができるので、コントラスト補正パラメータ（コントラスト補正量）に応じて覆い焼きパラメータを制御することができ、すなわちコントラスト補正を覆い焼き処理よりも優先して行うことができ、また、覆い焼き処理部６１での処理においてコントラスト補正が可能となるとともに、覆い焼き処理の主目的である明暗調整がなされた、特に上述したように照明圧縮特性が点Ａを通るような低輝度部（主被写体）の明るさが適正に調整された良好な画像を得ることが可能となる。なお、この構成により、従来一般的にコントラスト補正が行われる階調変換部を備えることなく、覆い焼き処理部６１における覆い焼き処理だけで済むため、演算処理の高速化、及び装置の低コスト化を図ることができる。
【００５８】
図５は、第１の実施形態におけるデジタルカメラ１による画像処理パラメータに応じた覆い焼き処理に関する動作の一例を示すフローチャートである。先ず、画像処理パラメータ設定部３１によって、ユーザＩ／Ｆ部５から指示入力されたコントラスト補正量Ｃｎｔ（画像処理パラメータ）の情報が設定される（ステップＳ１）。レリーズスイッチが押下されるなどして撮像センサ２２によって撮影画像が取得され、この撮影画像データが制御部３に入力される（例えば画像メモリ４に保存される）（ステップＳ２）。次に、画像処理パラメータ設定部３１に設定されたコントラスト補正量Ｃｎｔの情報に応じて、制御部３（覆い焼きパラメータ演算部３２）によって覆い焼きパラメータ（例えばフィルタサイズＳｆ、第２ＬＵＴ）が算出（選択）されるとともに、覆い焼き処理部６１に当該覆い焼きパラメータが設定される（ステップＳ３）。そして、覆い焼き処理部６１によって、当該設定された覆い焼きパラメータに基づいて、覆い焼き処理（基画像Ｉから照明成分Ｌを抽出してこれにＤＲ圧縮を行い、照明成分Ｌ’と反射率成分Ｒとから新たな画像Ｉ’を生成する処理）が行われ（ステップＳ４）、この覆い焼き処理により得られた画像データ（画像Ｉ’）が画像メモリ４に記憶される（ステップＳ５）。
【００５９】
（実施形態２）
上記第１の実施形態では、コントラスト補正量に応じて覆い焼きパラメータを制御する場合について説明したが、第２の実施形態では、彩度補正量に応じて覆い焼きパラメータを制御する場合について説明する。本実施形態におけるデジタルカメラのブロック構成は図１、図２と同じであり、ユーザＩ／Ｆ部５により指示入力された画像処理パラメータとしての彩度補正量（彩度補正量（係数）Ｃｈとする）の情報に基づいて、覆い焼き処理部６１（及び制御部３）による覆い焼き処理が行われる。
【００６０】
ここでの具体的な動作・処理として、例えば制御部３の画像処理パラメータ設定部３１は、ユーザＩ／Ｆ部５から指示入力された彩度補正量Ｃｈの情報を受け付けて設定し、覆い焼きパラメータ演算部３２は、画像処理パラメータ設定部３１に設定された彩度補正量Ｃｈに応じて上記照明成分Ｌの上限値Ｌｍａｘ（図３に示すＬｍａｘ）を変更する、つまり彩度補正量Ｃｈに応じたＬｍａｘ値を算出する。ただし、Ｌｍａｘは、彩度補正量Ｃｈの単調増加関数で与えられる。一般的に、ＤＲ圧縮の圧縮率（上記圧縮率ｃに相当）と彩度とは比例関係にあることから、Ｌｍａｘが大きいほど圧縮率が高くなり、これによって彩度が高くなる。制御部３は、当該Ｌｍａｘ情報を覆い焼き処理部６１に送信して該覆い焼き処理部６１に設定し、覆い焼き処理部６１は、例えば所定のフィルタサイズＳｆ（彩度補正量Ｃｈと関係なく予め設定されたフィルタサイズ値）を有するエッジ維持フィルタにより基画像Ｉから抽出した照明成分Ｌに対して、このＬｍａｘ情報を用いて、上記（１）式に示す変換式（照明圧縮特性２１０）に基づくＤＲ圧縮を行う。
【００６１】
上記覆い焼きパラメータ演算部３２による彩度補正量Ｃｈに応じたＬｍａｘ値の算出は、例えば彩度補正量ＣｈとＬｍａｘとの関係が記述されたテーブル（ＬＵＴ；これを第３ＬＵＴと表現する）を用いたデータ変換により行ってもよく、この場合、変換情報記憶部３３に第３ＬＵＴが記憶されていてもよい。また、このＬｍａｘは、彩度補正量Ｃｈに応じて好適な彩度の画像が得られるような任意な値が設定可能である。
【００６２】
一方、反射率成分Ｒについては、彩度補正量Ｃｈに関わらず、上記所定のフィルタサイズＳｆに応じて基画像Ｉから抽出された反射率成分Ｒ（実際には、このフィルタサイズＳｆに応じて照明成分Ｌが抽出され、結果として残りの反射率成分Ｒ抽出量が決まる）が用いられる。
【００６３】
なお、本実施形態の場合も上記と同様、図７（ａ）に示すように、操作部５２によるボタン操作等によってモニタ画面上で選択フレーム５１１を“彩度”の位置まで移動させて彩度補正量の画像処理パラメータを選択し、図７（ｂ）に示すように、ポインタ５１２をデフォルト位置から、低輝度重視側である−２から高輝度重視側である＋２の範囲における所要のレベル位置まで移動させて（図７（ｂ）では彩度補正量が「−１」のレベルに設定されている）、彩度補正量Ｃｈの指示入力を行う。
【００６４】
上述の各処理が施された後、覆い焼き処理部６１において、彩度補正量Ｃｈに応じて変更されたＬｍａｘが反映された照明圧縮特性に基づいて照明成分ＬがＤＲ圧縮されてなる照明成分Ｌ’と、反射率成分Ｒとから、同様に上記（２）式によって新たな画像Ｉ’が生成（出力）される。
【００６５】
このように、彩度補正量Ｃｈ（彩度補正パラメータ；画像処理パラメータ）に応じて、覆い焼き処理における照明圧縮特性（圧縮率；覆い焼きパラメータ）を変化させることができる構成であるので、彩度補正パラメータの設定を覆い焼きパラメータの設定よりも優先させる、すなわち彩度補正処理を覆い焼き処理よりも優先させることができ、また、覆い焼き処理部６１での処理において彩度補正が可能となるとともに、覆い焼き処理の主目的である明暗調整がなされた、特に上述したように照明圧縮特性が点Ａを通るような低輝度部（主被写体）の明るさが適正に調整された良好な画像を得ることが可能となる。なお、この構成により、彩度補正部を備えることなく、覆い焼き処理部６１における覆い焼き処理だけで済むため、演算処理の高速化、及び装置の低コスト化を図ることができる。
【００６６】
第２の実施形態における画像処理パラメータに応じた覆い焼き処理に関する動作フローは、図５に示すフローチャートと同様、先ず、画像処理パラメータ設定部３１によって、ユーザＩ／Ｆ部５から指示入力された彩度補正量Ｃｈ（画像処理パラメータ）の情報が設定される（ステップＳ１１）。レリーズスイッチが押下されるなどして撮像センサ２２によって撮影画像が取得され、この撮影画像データが制御部３に入力される（例えば画像メモリ４に保存される）（ステップＳ１２）。次に、画像処理パラメータ設定部３１に設定された彩度補正量Ｃｈの情報に応じて、制御部３によって覆い焼きパラメータ（例えばＬｍａｘ値）が算出されるとともに、覆い焼き処理部６１に当該覆い焼きパラメータが設定される（ステップＳ１３）。そして、覆い焼き処理部６１によって、当該設定された覆い焼きパラメータに基づいて、覆い焼き処理（基画像Ｉから照明成分Ｌを抽出してこれにＤＲ圧縮を行い、照明成分Ｌ’と反射率成分Ｒとから新たな画像Ｉ’を生成する処理）が行われ（ステップＳ１４）、この覆い焼き処理により得られた画像データ（画像Ｉ’）が画像メモリ４に記憶される（ステップＳ１５）。
【００６７】
以上のように、第１及び第２の実施形態に係る撮像装置（デジタルカメラ１）によれば、画像入力部２或いは撮像センサ２２（画像取得手段）によって画像が取得され、覆い焼き処理部６１（覆い焼き処理手段）によって画像に対する覆い焼き処理が行われ、制御部３すなわち覆い焼きパラメータ演算部３２（覆い焼きパラメータ設定手段）によって覆い焼き処理に関する覆い焼きパラメータが設定される。そして、覆い焼きパラメータを第１の画像処理パラメータとすると、覆い焼きパラメータ演算部３２によって第１の画像処理パラメータ以外の所定の第２の画像処理パラメータに基づいて覆い焼きパラメータが決定され、覆い焼き処理部６１によって、覆い焼きパラメータ演算部３２により決定された覆い焼きパラメータに基づいて覆い焼き処理が行われる。
【００６８】
これによれば、覆い焼きパラメータ演算部３２によって第２の画像処理パラメータに基づいて覆い焼きパラメータが決定され、覆い焼き処理部６１によって、覆い焼きパラメータ演算部３２により決定された覆い焼きパラメータに基づいて覆い焼き処理が行われる構成であるので、第２の画像処理パラメータによる画像処理例えばコントラスト補正処理（階調変換処理）や彩度補正処理を優先して行いつつ覆い焼き処理も行うことができる、すなわち所要のコントラストや彩度等が得られるようにこれらが優先して調整され、且つ、覆い焼き処理によって明暗調整もなされた良好（高画質）な画像を得ることができる。
【００６９】
また、ユーザＩ／Ｆ部５（コントラスト補正量入力手段）によって画像に対するコントラスト補正処理に関するコントラスト補正量Ｃｎｔが入力され、上記第２の画像処理パラメータがコントラスト補正量Ｃｎｔとされ、覆い焼きパラメータ演算部３２によって、ユーザＩ／Ｆ部５により入力されたコントラスト補正量に基づいて覆い焼きパラメータ（例えば後述のフィルタサイズＳｆ）が決定される。
【００７０】
これによれば、覆い焼きパラメータ演算部３２によって、ユーザＩ／Ｆ部５により入力されたコントラスト補正量に基づいて覆い焼きパラメータが決定される構成であるので、コントラスト補正量に基づくコントラスト補正処理（階調変換処理）を優先して行いつつ覆い焼き処理も行うことができる、すなわち所要のコントラストが得られるようにコントラストが優先して調整され、且つ、覆い焼き処理によって明暗調整もなされた良好な画像を得ることができる。
【００７１】
また、覆い焼き処理において、基画像Ｉから抽出された照明成分Ｌが圧縮され、該圧縮された照明成分Ｌ’と画像から抽出された反射率成分Ｒとから新たな画像Ｉ’が生成される。また、覆い焼きパラメータが、基画像Ｉから照明成分を抽出するフィルタ（例えばエッジ維持フィルタ）のサイズ（フィルタサイズＳｆ）とされ、該サイズがコントラスト補正量に応じて異なるサイズとされる。
【００７２】
これによれば、覆い焼きパラメータとしてのフィルタサイズＳｆがコントラスト補正量に応じて異なるサイズとされることから、フィルタサイズＳｆをコントラスト補正量に応じて変更することができる。当該フィルタサイズＳｆが変更されることで反射率成分Ｒの抽出量が変化し、反射率成分Ｒの抽出量が変化することでコントラストが変化するため、低輝度／高輝度に関係なくコントラスト補正を行うことが可能となる（コントラスト強調を行っても従来のように高輝度のコントラストが低下しない）。また、覆い焼き処理部６１による覆い焼き処理によってコントラスト補正が可能となり（覆い焼き処理部６１によって覆い焼き処理とコントラスト補正とを同時に行うことができ）、従来のコントラスト補正手段を別途備える必要がないことから、処理の高速化、装置の低コスト化（簡略化）を図ることができる。
【００７３】
また、覆い焼きパラメータが照明成分Ｌの圧縮特性とされ、該圧縮特性がコントラスト補正量に応じて異なる圧縮特性（照明圧縮特性３１０、３２０）とされる。これによれば、覆い焼きパラメータとしての圧縮特性がコントラスト補正量に応じて異なる圧縮特性とされることから、当該圧縮特性をコントラスト補正量に応じて変更することができ、すなわち、コントラスト補正量に応じて圧縮特性を変更して所要のコントラストが得られるように照明成分を圧縮することができるため、覆い焼き処理部６１による覆い焼き処理によってコントラスト補正が可能となり（覆い焼き処理部６１によって覆い焼き処理とコントラスト補正とを同時に行うことができ）、従来のコントラスト補正手段を別途備える必要がないことから、処理の高速化、装置の低コスト化（簡略化）を図ることができる。
【００７４】
また、ユーザＩ／Ｆ部５（彩度補正量入力手段）によって、画像に対する彩度補正処理に関する彩度補正量Ｃｈが入力され、上記第２の画像処理パラメータが彩度補正量Ｃｈとされ、覆い焼きパラメータ演算部３２（覆い焼きパラメータ設定手段）によって、ユーザＩ／Ｆ部５により入力された彩度補正量に基づいて覆い焼きパラメータが決定される。
【００７５】
これによれば、覆い焼きパラメータ演算部３２によって、ユーザＩ／Ｆ部５により入力された彩度補正量に基づいて覆い焼きパラメータが決定される構成であるので、彩度補正量に基づく彩度補正処理を優先して行いつつ覆い焼き処理も行うことができる、すなわち所要の彩度が得られるように彩度が優先して調整され、且つ、覆い焼き処理によって明暗調整もなされた良好な画像を得ることができる。
【００７６】
また、覆い焼きパラメータが照明成分Ｌの圧縮における圧縮輝度範囲の所定の上限値（図３に示すＬｍａｘ）とされ、該上限値が彩度補正量に応じて異なる値とされる。これによれば、覆い焼きパラメータとしての圧縮輝度範囲の所定の上限値Ｌｍａｘが彩度補正量に応じて異なる値とされることから、圧縮輝度範囲の所定の上限値を彩度補正量に応じて変更することができる。当該上限値が変更されることで照明成分の圧縮率ｃが変化し、照明成分の圧縮率が変化することで彩度が変化するため、覆い焼き処理部６１による覆い焼き処理によって彩度補正が可能となり（覆い焼き処理部６１によって覆い焼き処理と彩度補正とを同時に行うことができ）、従来の彩度補正手段を別途備える必要がないことから、処理の高速化、装置の低コスト化（簡略化）を図ることができる。
【００７７】
また、第１及び第２の実施形態に係る画像処理方法によれば、覆い焼き処理段階において、画像データに対して覆い焼き処理が行われ、覆い焼きパラメータ設定段階において、覆い焼き処理に関する覆い焼きパラメータが設定される。覆い焼きパラメータを第１の画像処理パラメータとしたとき、覆い焼きパラメータ設定段階において、第１の画像処理パラメータ以外の所定の第２の画像処理パラメータに基づいて覆い焼きパラメータが決定され、覆い焼き処理段階において、覆い焼きパラメータ設定段階で決定された覆い焼きパラメータに基づいて覆い焼き処理が行われる。
【００７８】
これによれば、覆い焼きパラメータ設定段階において、第２の画像処理パラメータに基づいて覆い焼きパラメータが決定され、覆い焼き処理段階において、覆い焼きパラメータ設定段階で決定された覆い焼きパラメータに基づいて覆い焼き処理が行われる構成であるので、第２の画像処理パラメータによる画像処理例えばコントラスト補正処理（階調変換処理）や彩度補正処理を優先して行いつつ覆い焼き処理も行うことができる、すなわち所要のコントラストや彩度等が得られるようにこれらが優先して調整され、且つ、覆い焼き処理によって明暗調整もなされた良好（高画質）な画像を得ることができる。
【００７９】
また、第１及び第２の実施形態に係る画像処理プログラムによれば、画像データに対する覆い焼き処理に関する覆い焼きパラメータを第１の画像処理パラメータとしたとき、該第１の画像処理パラメータ以外の所定の第２の画像処理パラメータに基づいて覆い焼きパラメータを決定する第１の手順と、該第１の手順で決定された覆い焼きパラメータに基づいて覆い焼き処理を行う第２の手順とがコンピュータによって実行される。
【００８０】
これによれば、第１の手順において、第２の画像処理パラメータに基づいて覆い焼きパラメータが決定され、第２の手順において、第１の手順で決定された覆い焼きパラメータに基づいて覆い焼き処理が行われる構成であるので、第２の画像処理パラメータによる画像処理例えばコントラスト補正処理（階調変換処理）や彩度補正処理を優先して行いつつ覆い焼き処理も行うことができる、すなわち所要のコントラストや彩度等が得られるようにこれらが優先して調整され、且つ、覆い焼き処理によって明暗調整もなされた良好（高画質）な画像を得ることができる。
【００８１】
なお、本発明は、以下の変形態様をとることができる。
（Ａ）上記第１の実施形態においては、コントラスト補正を反射率成分Ｒに反映する場合と、コントラスト補正を照明成分Ｌに反映する場合とを説明したが、コントラスト補正を反射率成分Ｒと照明成分Ｌとの双方に反映してもよい。すなわち、コントラスト補正量Ｃｎｔに応じてフィルタサイズＳｆを変更し、反射率成分Ｒひいてはコントラストを変化させるとともに、同コントラスト補正量Ｃｎｔに応じて複数種類の照明圧縮特性を切り替える構成としてもよい。これによって、コントラスト補正量に応じた覆い焼き処理の自由度がより高くなる。
【００８２】
（Ｂ）上記第１及び第２の実施形態においては、コントラスト補正量或いは彩度補正量に応じた覆い焼き処理を、デジタルカメラ１内（制御部３及び覆い焼き処理部６１）で行う構成としているが、これに限らず、デジタルカメラ１外の所定の処理部において実行する構成としてもよい。具体的には、例えばＵＳＢ等を用いてデジタルカメラ１と直接接続（有線）又は無線ＬＡＮ等によるネットワーク接続がなされた、或いはメモリカードといったストレージメディア等を用いて情報伝達可能に構成されたユーザーインターフェイスを備える所定のホスト（例えばＰＣ（Personal  Computer）やＰＤＡ（Personal Digital Assistant等のコンピュータ内蔵機器）において当該処理をホスト内のコンピュータに実行させる構成としてもよい。
【図面の簡単な説明】
【００８３】
【図１】第１の実施形態に係る撮像装置の一例であるデジタルカメラの主に撮像処理に関する概略的なブロック構成図である。
【図２】上記デジタルカメラの制御部の機能ブロック図である。
【図３】覆い焼き処理における照明成分の圧縮特性の一例を示すグラフ図である。
【図４】覆い焼き処理における照明成分の圧縮特性の一例を示すグラフ図である。
【図５】第１の実施形態におけるデジタルカメラによる画像処理パラメータに応じた覆い焼き処理に関する動作の一例を示すフローチャートである。
【図６】上記デジタルカメラのユーザＩ／Ｆ部を示す背面図であり、（ａ）はコントラストが選択された状態を示す図であり、（ｂ）はポインタが＋２のレベル位置まで移動された状態を示す図である。
【図７】上記デジタルカメラのユーザＩ／Ｆ部を示す背面図であり、（ａ）は彩度が選択された状態を示す図であり、（ｂ）はポインタが−１のレベル位置まで移動された状態を示す図である。
【図８】従来のガンマによる階調変換処理について説明するためのグラフ図である。
【符号の説明】
【００８４】
１  デジタルカメラ（撮像装置）
２  画像入力部（画像取得手段）
２２  撮像センサ（画像取得手段）
３  制御部
３１  画像処理パラメータ設定部
３２  覆い焼きパラメータ演算部（覆い焼きパラメータ設定手段）
３３  変換情報記憶部
５  ユーザＩ／Ｆ部（コントラスト補正量入力手段、彩度補正量入力手段）
６  画像処理部
６１  覆い焼き処理部（覆い焼き処理手段）
２１０  照明圧縮特性
３１０  照明圧縮特性（請求項４記載のコントラスト補正量に応じて異なる圧縮特性）
３２０  照明圧縮特性（請求項４記載のコントラスト補正量に応じて異なる圧縮特性）
【図１】
2007174482.tif 000003
【図２】
2007174482.tif 000004
【図３】
2007174482.tif 000005
【図４】
2007174482.tif 000006
【図５】
2007174482.tif 000007
【図６】
2007174482.tif 000008
【図７】
2007174482.tif 000009
【図８】
2007174482.tif 000010